(57)【要約】【課題】情報漏洩の危険性を低減した画像処理装置を提供する。【解決手段】デジタル複合機は、画像に埋め込まれ、画像を出力可能な画像処理装置を特定する画像処理装置特定情報を検出する検出手段（Ｓ１３）と、検出手段により検出された画像処理装置特定情報が、画像処理装置の有する識別情報と同じであるか否かを判断する判断手段（Ｓ１４）と、判断手段が同じであると判断すれば、画像を出力する出力手段（Ｓ１５、Ｓ１６）とを備える。【選択図】図４
2008147830.tif 000002
【特許請求の範囲】
【請求項１】
画像に埋め込まれ、前記画像を出力可能な画像処理装置を特定する画像処理装置特定情報を検出する検出手段と、
前記検出手段により検出された画像処理装置特定情報が、前記画像処理装置の有する識別情報と同じであるか否かを判断する判断手段と、
前記判断手段が同じであると判断すれば、前記画像を出力する出力手段とを備える、画像処理装置。
【請求項２】
前記出力手段は、前記判断手段が異なっていると判断すれば、前記画像処理装置特定情報を前記画像に埋め込んで出力する、請求項１に記載の画像処理装置。
【請求項３】
前記画像処理装置特定情報は、電子透かしにより前記画像に埋め込まれている、請求項１または２に記載の画像処理装置。
【請求項４】
画像を出力可能な画像処理装置を特定する画像処理装置特定情報を前記画像に埋め込ませる埋め込み手段を備える、請求項１〜３のいずれかに記載の画像処理装置。
【請求項５】
画像を出力可能な画像処理装置を特定する画像処理装置特定情報を前記画像に埋め込ませる埋め込み手段と、
前記埋め込み手段により前記画像処理装置特定情報が埋め込まれた画像を印刷する印刷手段とを備える、画像処理装置。
【請求項６】
画像を出力可能な画像処理装置を特定する画像処理装置特定情報が前記画像に埋め込まれている、記録媒体。
【発明の詳細な説明】
【技術分野】
【０００１】
この発明は、画像処理装置および記録媒体に関し、特に、形成する画像を有する記録媒体および形成された画像の出力が可能な画像処理装置に関するものである。
【背景技術】
【０００２】
画像処理装置を例えば複写機として使用する場合、まず、原稿の画像データを読取り、この読取った画像データを基に画像形成部によって静電潜像を形成する。そして、トナー等の現像剤によって可視化した後、この可視像を用紙に転写して出力する。この場合、画像処理装置は、形成された画像を出力する出力装置となる。
【０００３】
ここで、画像データに含まれる電子透かしに埋め込まれたユーザ認証の情報に応じて画像形成を行う画像形成装置が、特開２００３−１３４３２７号公報（特許文献１）に開示されている。特許文献１によると、電子透かしに埋め込まれたユーザ認証の情報から、認証されたユーザによる出力の場合には、出力する用紙に電子透かしを含ませず、オリジナルの原稿の画像と同一の画像を出力することとし、認証されていないユーザによる出力の場合には、出力する用紙に電子透かしを含ませて出力することとしている。こうすることにより、認証されていないユーザにより出力された不正な出力画像の追跡を可能にしている。
【特許文献１】特開２００３−１３４３２７号公報
【発明の開示】
【発明が解決しようとする課題】
【０００４】
特許文献１によると、不正な出力を要求する悪意の第三者が、認証されたユーザのＩＤ等を盗み出して認証されたユーザに成りすまし、人目のつかない場所に設置されている出力装置等を使用して、電子透かしを含まないオリジナルの原稿の画像と同一の画像を出力することが可能である。このような不正な出力が可能であると、情報漏洩の危険性が高まることになる。
【０００５】
この発明の目的は、情報漏洩の危険性を低減した画像処理装置を提供することである。
【０００６】
この発明の他の目的は、情報漏洩の危険性を低減した記録媒体を提供することである。
【課題を解決するための手段】
【０００７】
この発明に係る画像処理装置は、画像に埋め込まれ、画像を出力可能な画像処理装置を特定する画像処理装置特定情報を検出する検出手段と、検出手段により検出された画像処理装置特定情報が、画像処理装置の有する識別情報と同じであるか否かを判断する判断手段と、判断手段が同じであると判断すれば、画像を出力する出力手段とを備える。
【０００８】
好ましくは、出力手段は、判断手段が異なっていると判断すれば、画像処理装置特定情報を画像に埋め込んで出力する。
【０００９】
さらに好ましくは、画像処理装置特定情報は、電子透かしにより画像に埋め込まれている。
【００１０】
さらに好ましくは、画像を出力可能な画像処理装置を特定する画像処理装置特定情報を画像に埋め込ませる埋め込み手段を備える。
【００１１】
この発明の他の局面においては、画像処理装置は、画像を出力可能な画像処理装置を特定する画像処理装置特定情報を画像に埋め込ませる埋め込み手段と、埋め込み手段により画像処理装置特定情報が埋め込まれた画像を印刷する印刷手段とを備える。
【００１２】
この発明のさらに他の局面においては、記録媒体は、画像を出力可能な画像処理装置を特定する画像処理装置特定情報が画像に埋め込まれている。
【発明の効果】
【００１３】
この発明によると、画像処理装置の有する識別情報と画像に埋め込まれた画像処理装置特定情報とを比較し、これらが同じであれば、画像を出力する。そうすると、画像を出力する際に、出力する画像処理装置を特定することができる。したがって、情報漏洩の危険性を低減することができる。
【００１４】
また、このような記録媒体は、画像を出力可能な画像処理装置を特定する画像処理装置特定情報が画像に埋め込まれているため、情報漏洩の危険性を低減することができる。
【発明を実施するための最良の形態】
【００１５】
以下、この発明の実施の形態を図面を参照して説明する。図１はこの発明の一実施形態に係る画像処理装置を、デジタル複合機１０に適用した場合の、デジタル複合機１０の構成を示すブロック図である。図１を参照して、デジタル複合機１０は、デジタル複合機１０全体を制御する制御部１１と、画像データ等の書き込みや読み出しを行うためのＤＲＡＭ１２と、デジタル複合機１０の有する情報を表示する表示部を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置でスキャナで読取る画像読取り部１５と、画像読取り部１５で読取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１６】
また、デジタル複合機１０は、画像を出力可能な画像処理装置を特定する画像処理装置特定情報を画像に埋め込ませる埋め込み手段と、埋め込み手段により画像処理装置特定情報が埋め込まれた画像を印刷する印刷手段とを備える。
【００１７】
さらに、デジタル複合機１０は、画像に埋め込まれ、画像を出力可能な画像処理装置を特定する画像処理装置特定情報を検出する検出手段と、検出手段により検出された画像処理装置特定情報が、画像処理装置の有する識別情報と同じであるか否かを判断する判断手段と、判断手段が同じであると判断すれば、画像を出力する出力手段とを備える。
【００１８】
制御部１１は、画像読取り部１５から与えられる原稿データをＤＲＡＭ１２に圧縮符号化して書き込み、ＤＲＡＭ１２に書き込んだデータを読出し、伸張符号化して画像形成部１６により出力する。
【００１９】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。ここで、デジタル複合機１０は、複写機やプリンター等として作動する際に、出力装置となる。
【００２０】
なお、図１において太線の矢印は画像データの流れを示しており、細線の矢印は制御信号または制御データの流れを示している。
【００２１】
次に、画像に出力可能な画像処理装置を特定する画像処理装置特定情報を埋め込む方法について簡単に説明する。画像に埋め込まれる画像処理装置特定情報としては、画像処理装置のシリアル番号やデバイスＩＤ、ＭＡＣ（Ｍｅｄｉａ  Ａｃｃｅｓｓ  Ｃｏｎｔｒｏｌ）アドレス、これらを組み合わせたもの等、画像処理装置を特定可能な情報が挙げられる。
【００２２】
図２は、特定された出力可能な画像処理装置に対応するＭＡＣアドレスの表の一例を示す図である。図２を参照して、ここでは、デジタル複合機Ａ、Ｂ、ＣのＭＡＣアドレスを画像処理装置特定情報とする。すなわち、出力先が特定されたデジタル複合機Ａ、Ｂ、Ｃにより画像の出力が可能となる。
【００２３】
まず、デジタル複合機１０に備えられる操作部１３の表示画面等において、出力可能な画像処理装置を特定する。そして、この情報を基に電子透かしを生成し、画像に埋め込む。そして、埋め込まれた画像を、画像を出力可能な画像処理装置を特定する画像処理装置特定情報が画像に埋め込まれた記録媒体として印刷する。ここで、制御部１１、画像形成部１６等は、埋め込み手段および印刷手段として作動する。
【００２４】
図３は、上記の方法で作成された電子透かしを含む画像を有する原稿の一例を示す図である。図３を参照して、原稿２３が有する画像としての文字部２４の背景には、比較的濃度の薄い電子透かし２５が印刷されている。このようにして、画像処理装置特定情報を電子透かし２５に画像に埋め込む。
【００２５】
このように構成することにより、ＤＲＡＭ１２上に画像処理装置特定情報を展開することができるため、後述する検出手段により容易に画像処理装置特定情報を検出することができる。また、電子透かし２５により埋め込まれているため、画像処理装置特定情報を確実に、かつ、安全に画像に埋め込むことができる。さらに画像の電子ファイルの移動やファイル形式の変更等によっても、画像処理装置特定情報を有効なものとすることができる。また、画像処理装置特定情報のデータ改竄等の恐れを低減することもできる。なお、図３においては、理解の容易の観点から、電子透かし２５を誇張して図示している。
【００２６】
次に、画像処理装置特定情報が埋め込まれた画像を有する原稿を複写する場合について説明する。図４は、画像処理装置特定情報が埋め込まれた画像を有する原稿を複写する際の制御部１１の動作を示すフローチャートである。図１〜図４を参照して、デジタル複合機１０の有する複写機能により、画像処理装置特定情報が埋め込まれた画像を有する原稿を複写する場合における制御部１１の動作について説明する。
【００２７】
まず、原稿がセットされる（図４において、ステップＳ１１、以下、ステップを省略する）。次に、画像読取り部１５によって原稿の画像を読取る（Ｓ１２）。その後、読取った原稿の画像に埋め込まれた画像処理装置特定情報を検出する（Ｓ１３）。ここで、制御部１１は、検出手段として作動する。
【００２８】
次に、デジタル複合機１０が有する識別情報と、画像に埋め込まれた画像処理装置特定情報が同じであるか否かを判断する（Ｓ１４）。ここでは、デジタル複合機１０が有する識別情報として、デジタル複合機１０のＭＡＣアドレスが検出される。そして、デジタル複合機１０のＭＡＣアドレスが、図３に示すＭＡＣアドレスに含まれているか否か、すなわち、デジタル複合機１０が、画像の出力が可能なデジタル複合機Ａ、Ｂ、Ｃのいずれかであるか否かを判断する。ここで、制御部１１は、判断手段として作動する。
【００２９】
画像処理装置特定情報が識別情報と同じであれば（Ｓ１４において、ＹＥＳ）、そのまま画像を形成し、出力する（Ｓ１５、Ｓ１７）。ここで、制御部１１および画像形成部１６等は、出力手段として作動する。
【００３０】
図５は、この場合における原稿を示す図であり、図３に対応する。図５を参照して、原稿２６が有する画像としての文字部２７の背景には、電子透かし２５が印刷されておらず、画像としての文字部２７のみが印刷されている。すなわち、画像を基にそのまま形成された画像である。
【００３１】
このようにして、デジタル複合機１０の有する識別情報と画像に埋め込まれた画像処理装置特定情報とを比較し、これらが同じであれば、そのまま画像を形成し、出力する。そうすると、画像を出力する際に、画像処理装置を特定することができる。したがって、情報漏洩の危険性を低減することができる。
【００３２】
特に、画像処理装置特定情報を、不特定多数のユーザが使用することはなく、また、厳密な入退室管理等がなされているデジタル複合機１０が有するＭＡＣアドレス等とすることにより、情報漏洩の危険性を大きく低減することができる。
【００３３】
さらに、出力時においてユーザ認証等の際には必要となるパスワードや認証カードが不要となる。したがって、安価に、かつ、確実に情報漏洩の危険性を低減することができる。
【００３４】
一方、識別情報と画像処理装置特定情報が異なっていれば（Ｓ１４において、ＮＯ）、画像に画像処理装置特定情報を埋め込んで画像を形成し、出力する（Ｓ１６、Ｓ１７）。具体的には、電子透かしを埋め込んだ画像を形成し、出力する。
【００３５】
このように構成することにより、悪意の第三者が、画像に埋め込まれた画像処理装置特定情報と異なる識別情報を有する画像処理装置で出力した場合に、出力された画像に画像処理装置特定情報が埋め込まれることになる。したがって、このような画像処理装置特定情報が埋め込まれた画像を有する原稿から、不正に出力した者の追跡等が可能になり、不正な出力に対する追跡可能性を向上することができる。
【００３６】
また、上記の実施の形態においては、画像に埋め込まれた画像処理装置特定情報は、複数の画像処理装置が有する画像処理装置特定情報を含むこととしたが、これに限らず、一つの画像処理装置が有する画像処理装置特定情報のみを含むことにしてもよい。
【００３７】
なお、上記の実施の形態においては、画像処理装置特定情報は、電子透かしにより画像に埋め込むことにしたが、これに限らず、他の方法、例えば、バーコードや図形、文字等により画像処理装置特定情報を画像に含ませることにしてもよい。
【００３８】
また、上記の実施の形態において、画像処理装置特定情報に加え、ユーザを認証するユーザ識別情報を用いることにしてもよい。このように構成することにより、適正なユーザにより特定された画像処理装置で出力された原稿について、画像処理装置特定情報を含まないものとすることができる。したがって、さらに情報漏洩の危険性を低減することができる。
【００３９】
なお、識別情報と画像処理装置特定情報が異なっていると判断された場合には、画像処理装置特定情報に加え、実際に出力した画像処理装置の有する識別情報を基に電子透かしを生成し、これを埋め込んで画像を形成して、出力することにしてもよい。こうすることにより、実際に出力された画像処理装置の識別情報を電子透かしに含ませることができるため、追跡可能性をさらに高めることができる。
【００４０】
また、上記の実施の形態においては、デジタル複合機１０は、埋め込み手段と、検出手段とを備えることにしたが、これに限らず、いずれか一方のみを備える構成としてもよい。
【００４１】
なお、上記の実施の形態においては、デジタル複合機１０によって原稿を出力する場合について説明したが、これに限らず、画像読取り部１５によって画像データを読取り複写する複写機能、公衆回線２０およびＦＡＸ通信部１８を介するＦＡＸ機能、スキャナ機能等、デジタル複合機の有する複数の処理を使用する場合についても適用される。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００４３】
【図１】この発明の一実施形態に係るデジタル複合機の全体構成を示すブロック図である。
【図２】出力が可能な画像処理装置に対応するＭＡＣアドレスの表の一例を示す図である。
【図３】画像処理装置特定情報を電子透かしとして埋め込んだ画像を有する原稿の一例を示す図である。
【図４】画像処理装置特定情報が埋め込まれた画像を有する原稿を複写する際の制御部の動作を示すフローチャートである。
【図５】電子透かしを埋め込まない画像を有する原稿の一例を示す図である。
【符号の説明】
【００４４】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３，２６  原稿、２４，２７  文字部、２５  電子透かし。
【図１】
2008147830.tif 000003
【図２】
2008147830.tif 000004
【図３】
2008147830.tif 000005
【図４】
2008147830.tif 000006
【図５】
2008147830.tif 000007